(57)【特許請求の範囲】
【請求項１】
複数の保守システムの各々からトラヒック収集者が発行するトラヒック要素、収集周期および収集回数を含むトラヒック収集要求に対して複数のデータ計測装置がそれぞれ計測するトラヒック要素を収集し、この収集したトラヒック要素を編集してトラヒックデータを生成するトラヒック収集システムであって、
前記複数のデータ計測装置の各々に設けられ、トラヒック要素を無限継続的に累積計数する無限カウンタと、
前記保守システムの各々に設けられ、前記トラヒック収集要求を受け付け、該トラヒック収集要求に基づき前記収集周期毎にトラヒック要素収集要求を前記収集回数分だけ出力し、収集装置に送信する条件装置と、
該条件装置が出力する収集周期毎のトラヒック要素収集要求を受け付け、該トラヒック要素収集要求に基づき前記データ計測装置の無限カウンタからトラヒック要素の計数値を収集周期毎に収集し、この収集したトラヒック要素の計数値を収集周期毎に前記条件装置に返送する収集装置と、
前記条件装置に設けられ、前記収集装置から収集周期毎に返送されるトラヒック要素の計数値を受信し、この受信したトラヒック要素の計数値と１つ前の収集周期に受信したトラヒック要素の計数値との差分を収集周期毎に算出してトラヒックデータとして編集する編集手段と
を有することを特徴とするトラヒック収集システム。
【発明の詳細な説明】
【０００１】
【発明の属する技術分野】
本発明は、トラヒック収集者がそれぞれの端末から複数の取得したいトラヒック情報を取得したい任意の契機に自由に選定して取得することができるトラヒック収集システムに関し、更に詳しくは、複数の保守システムの各々からトラヒック収集者が発行するトラヒック収集要求に対して複数のデータ計測装置がそれぞれ計測するトラヒック要素を収集し、この収集したトラヒック要素を編集してトラヒックデータを生成するトラヒック収集システムに関する。
【０００２】
【従来の技術】
従来のトラヒック収集システムについて図２を参照して説明する。図２においては、保守システム１１において入力装置１２からトラヒック収集者がトラヒック項目（固定）、測定周期、測定回数を含むトラヒック収集起動通知を発行すると、このトラヒック収集起動通知は入力装置１２から通信制御装置２１の受信装置２２に送信される。受信装置２２は、トラヒック収集起動通知を受信すると、この通知を収集装置２３に供給する。収集装置２３は、この受信したトラヒック収集起動通知に基づき予め決められたトラヒック項目の収集を行うため、複数のデータ計測・編集装置２４，２５，２６に対してそれぞれトラヒック収集要求を行う。
【０００３】
すなわち、収集装置２３は、受信したトラヒック収集起動通知に基づき測定周期と測定回数を指示されると、複数のデータ計測・編集装置２４，２５，２６のそれぞれに対してトラヒック収集の要求指示１を発行し、それぞれのデータ計測・編集装置に対してトラヒック収集の要求を起動する。
【０００４】
複数のデータ計測・編集装置２４，２５，２６は、それぞれ各測定周期毎に収集したトラヒックを蓄積し、各周期毎に収集したトラヒックの差分を抽出して、測定周期間に発生したトラヒックに編集する。この各測定周期間に発生したトラヒックは、複数のデータ計測・編集装置２４，２５，２６のそれぞれから収集装置２３に返送される。収集装置２３は、保守システム１１に対し信号を送信するために送信装置２７を起動し、該送信装置２７から保守システム１１の出力装置１３にトラヒックデータを送信する。
【０００５】
次に、複数のトラヒック収集起動通知が同時に発生し、要求指示１，２，３が発行される場合について説明する。具体的には、例えば要求指示１は測定周期が２分間隔で１０回のトラヒック収集を要求するものであり、要求指示２は測定周期が１０分間隔で１２回のトラヒック収集を要求するものであり、要求指示３は測定周期が６０分間隔で２４回のトラヒック収集を要求するものであるとする。
【０００６】
要求指示１が発生すると、この要求指示１は保守システム１１の入力装置１２から受信装置２２に通知され、該受信装置２２から更に収集装置２３に通知される。収集装置２３は、トラヒックを収集するため、複数のデータ計測・編集装置２４，２５，２６に要求指示１を通知することによりトラヒックの測定通知を行う。
【０００７】
複数のデータ計測・編集装置２４，２５，２６は、要求指示１を受信すると、トラヒックの計測を開始するとともに、１０回分の収集データを蓄積するための格納エリアを確保する。そして、２分間隔で収集されたデータは、この格納エリアに蓄積される。また、各データ計測・編集装置２４，２５，２６は、収集データを格納エリアに蓄積すると、前回の周期（２分前）に蓄積したデータを本周期に収集したデータの差分を計算する。この計算された差分データは、２分間に発生したトラヒック（例えば、信号数等）となる。この処理は、複数のデータ計測・編集装置２４，２５，２６のそれぞれで実施され、トラヒック項目種別毎にトラヒックデータが収集され、収集装置２３に返送される。収集装置２３は、トラヒックデータを送信装置２７を介して保守システム１１の出力装置１３に送信して保守システム１１に通知する。
【０００８】
前記要求指示２および３が上述した要求指示１と並行して同時に発生した場合には、複数のデータ計測・編集装置２４，２５，２６は、それぞれの要求指示を受信すると、要求指示１の測定回数１０回分の格納エリア、要求指示２の測定回数１２回分の格納エリア、および要求指示３の測定回数２４回分の格納エリアをそれぞれ確保するとともに、それぞれの測定周期毎にトラヒックを収集するという処理を並行して行うことになる。
【０００９】
【発明が解決しようとする課題】
上述した従来のトラヒック収集システムは、定期的にトラヒックデータを収集する方式であり、格納エリアにすべての情報を蓄積させ、保守システムからの契機によって予めシステムで決められた情報を収集するため、ユーザがトラヒックデータを欲しい時のトラヒックデータと実際にユーザが受信するトラヒックデータとの間にタイムラグが生じ、常に現在のトラヒックデータを得ることが困難であるとともに、保守者が膨大な情報量の中から保守者自身が必要な情報を選択する必要があり、保守者の負荷が増大し、見落としや見違いが発生するとともに非効率的であるという問題がある。
【００１０】
また、システム的には複数の周期によるトラヒック収集が実施された場合、要求指示毎に測定回数分の格納エリアを確保する必要があり、設備コストが増大し非経済的であるという問題がある。
【００１１】
本発明は、上記に鑑みてなされたもので、その目的とするところは、情報収集結果の確認作業時の保守作業を軽減して単純ミスを減少し、作業を迅速かつ正確に行うことができ、更に経済化を図り得るトラヒック収集システムを提供することにある。
【００１２】
【課題を解決するための手段】
上記目的を達成するため、請求項１記載の本発明は、複数の保守システムの各々からトラヒック収集者が発行するトラヒック要素、収集周期および収集回数を含むトラヒック収集要求に対して複数のデータ計測装置がそれぞれ計測するトラヒック要素を収集し、この収集したトラヒック要素を編集してトラヒックデータを生成するトラヒック収集システムであって、前記複数のデータ計測装置の各々に設けられ、トラヒック要素を無限継続的に累積計数する無限カウンタと、前記保守システムの各々に設けられ、前記トラヒック収集要求を受け付け、該トラヒック収集要求に基づき前記収集周期毎にトラヒック要素収集要求を前記収集回数分だけ出力し、収集装置に送信する条件装置と、該条件装置が出力する収集周期毎のトラヒック要素収集要求を受け付け、該トラヒック要素収集要求に基づき前記データ計測装置の無限カウンタからトラヒック要素の計数値を収集周期毎に収集し、この収集したトラヒック要素の計数値を収集周期毎に前記条件装置に返送する収集装置と、前記条件装置に設けられ、前記収集装置から収集周期毎に返送されるトラヒック要素の計数値を受信し、この受信したトラヒック要素の計数値と１つ前の収集周期に受信したトラヒック要素の計数値との差分を収集周期毎に算出してトラヒックデータとして編集する編集手段とを有することを要旨とする。
【００１３】
請求項１記載の本発明にあっては、複数のデータ計測装置の各々に設けられた無限カウンタでトラヒック要素を無限継続的に累積計数しており、条件装置がトラヒック収集者からのトラヒック収集要求を受け付けると、該トラヒック収集要求に基づき収集周期毎にトラヒック要素収集要求を収集回数分だけ収集装置に出力し、収集装置はトラヒック要素収集要求を受け付けると、該トラヒック要素収集要求に基づきデータ計測装置の無限カウンタからトラヒック要素の計数値を収集周期毎に収集し、この収集したトラヒック要素の計数値を収集周期毎に条件装置に返送し、条件装置は収集装置から収集周期毎に返送されるトラヒック要素の計数値を受信し、この受信したトラヒック要素の計数値と１つ前の収集周期に受信したトラヒック要素の計数値との差分を算出してトラヒックデータとして編集するため、トラヒック情報収集結果の確認作業を軽減でき、作業を迅速かつ効率的に行うことができるとともに、欲しいトラヒック情報を欲しい時に入手することができる。また、無限カウンタを使用することにより複数のユーザに対しても容易に対応できるとともに、測定回数分の格納エリアを確保する必要がなくなり、システムの簡略化および経済化を図ることができる。
【００１４】
【発明の実施の形態】
以下、図面を用いて本発明の実施の形態について説明する。図１は、本発明の一実施形態に係るトラヒック収集システムの構成を示すブロック図である。同図に示すトラヒック収集システムは、トラヒック収集者が発行するトラヒック要素、収集周期および収集回数を含むトラヒック収集要求に対して複数のデータ計測装置でそれぞれ計測されるトラヒック要素を収集し、この収集したトラヒック要素を編集してトラヒックデータを生成するものであり、各々が入力装置１２、出力装置１３および条件装置１４を有する複数の保守システム１０と、受信装置２２、送信装置２７、収集装置４２、および各々が無限カウンタ５３，５４，５５を有する複数のデータ計測装置４３，４４，４５を有する通信装置２０とから構成されている。
【００１５】
複数のデータ計測装置４３，４４，４５の各々に設けられた無限カウンタ５３，５４，５５は、それぞれ例えば信号数等のトラヒック要素を無限継続的に累積計数する。また、条件装置１４は、保守システム１０の各々からトラヒック収集者が発行するトラヒック要素、収集周期および収集回数を含むトラヒック収集要求を受け付け、このトラヒック収集要求に基づき収集周期毎にトラヒック要素収集要求を収集回数分だけ出力し通信装置２０に送信する。収集装置４２は、条件装置１４が出力する収集周期毎のトラヒック要素収集要求に基づきデータ計測装置４３，４４，４５の無限カウンタ５３，５４，５５からトラヒック要素の計数値を収集周期毎に収集し、この収集したトラヒック要素の計数値を収集周期毎に条件装置１４に返送する。また、条件装置１４は、収集装置４２から収集周期毎に返送されるトラヒック要素の計数値を受信し、この受信したトラヒック要素の計数値と１つ前の収集周期に受信したトラヒック要素の計数値との差分を算出してトラヒックデータとして編集する。
【００１６】
次に、以上のように構成されるトラヒック収集システムの作用についてトラヒック収集者がデータ計測装置４３で計測するトラヒック項目である要素を２分周期で１０回収集する要求を実施する場合について説明する。
【００１７】
保守システム１０からトラヒック収集者がトラヒック要素、収集周期および収集回数を含むトラヒック収集要求を発行すると、このトラヒック収集要求は保守システム１０の入力装置１２から条件装置１４に供給される。条件装置１４は、トラヒック収集要求に基づき収集周期毎（２分間隔）にトラヒック要素収集要求を通信装置２０に送信する。なお、このトラヒック要素収集要求は収集回数分（１０回分）送信される。
【００１８】
通信装置２０においては、条件装置１４から送信される収集周期毎のトラヒック要素収集要求を受信装置２２を介して収集装置４２で受信する。収集装置４２は、トラヒック要素収集要求を受信すると、このトラヒック要素収集要求に基づき要求されたトラヒック要求をデータ計測装置４３の無限カウンタ５１により計測したデータから収集周期毎に収集し、この収集したトラヒック要素データ、すなわちトラヒック要素の計数値を送信装置２７を介して条件装置１４に返送する。
【００１９】
条件装置１４は、送信装置２７を介して収集装置４２から収集周期毎にトラヒック要素データを受信すると、この受信したトラヒック要素データと１つ前の収集周期に受信したトラヒック要素データとの差分を算出し、トラヒック収集者に見やすい情報であるトラヒックデータに編集する。
【００２０】
また、トラヒック収集者がデータ計測装置４３で計測するトラヒック要素（トラヒック項目）を２分周期で１０回収集するトラヒック収集要求を実施し、データ計測装置４４で計測するトラヒック要素を５分周期で１０回収集するトラヒック収集要求を実施し、データ計測装置４５で計測するトラヒック要素を３０分周期で２４回収集するトラヒック収集要求を実施した場合も、上述したと同様に行われる。すなわち、条件装置１４はデータ計測装置４３のトラヒック要素を収集するために２分周期で１０回、通信装置２０にトラヒック収集要求信号を送出し、条件装置１４は２分毎の周期でトラヒック収集要求に対するトラヒック要素を編集する。また、条件装置１４はデータ計測装置４４のトラヒック要素を収集するために５分周期で１０回、通信装置２０にトラヒック収集要求信号を送出し、条件装置１４は５分毎の周期でトラヒック収集要求に対するトラヒック要素を編集する。更に、条件装置１４はデータ計測装置４５のトラヒック要素を収集するために３０分周期で２４回、通信装置２０にトラヒック収集要求信号を送出し、条件装置１４は３０分毎の周期でトラヒック収集要求に対するトラヒック要素を編集する。
【００２１】
上述したように、本実施形態では、データ計測装置４３のそれぞれに設けられた無限カウンタ５３，５４，５５においてトラヒックデータの個々のトラヒック要素を計数蓄積し、このトラヒック要素データを一元的に管理し、トラヒック収集要求の発行に応じて無限カウンタ５３，５４，５５で一元的に管理しているトラヒック要素を収集し、この収集したトラヒック要素の各収集周期毎の差分をトラヒックデータとして編集している。これにより必要のトラヒックデータの収集および選択が可能となり、複数のトラヒック収集者からの要求に対してそれぞれの起動周期でトラヒックデータの収集が可能である。
【００２２】
【発明の効果】
以上説明したように、本発明によれば、複数のデータ計測装置の各々に設けられた無限カウンタでトラヒック要素を無限継続的に累積計数しているとともに、条件装置がトラヒック収集者からのトラヒック収集要求を受け付けると、該トラヒック収集要求に基づき収集周期毎にトラヒック要素収集要求を収集回数分だけ発生し、データ計測装置の無限カウンタからトラヒック要素の計数値を収集周期毎に収集し、この収集した収集周期毎のトラヒック要素の計数値において今回受信したトラヒック要素の計数値と１つ前の収集周期に受信したトラヒック要素の計数値との差分をトラヒックデータとして編集するので、トラヒック情報収集結果の確認作業を軽減でき、保守者の負担が低減して単純ミス等を減少でき、作業を迅速かつ正確に行うことができるとともに、欲しいトラヒック情報を欲しい時に入手することができる。また、無限カウンタを使用することにより複数のユーザに対しても容易に対応できるとともに、測定回数分の格納エリアを確保する必要がなくなり、システムの簡略化および経済化を図ることができ、保守もしやすくなる。
【図面の簡単な説明】
【図１】本発明の一実施形態に係るトラヒック収集システムの構成を示すブロック図である。
【図２】従来のトラヒック収集システムの構成を示すブロック図である。
【符号の説明】
１０  保守システム
１４  条件装置
２０  通信装置
４２  収集装置
４３，４４，４５  データ計測装置
５３，５４，５５  無限カウンタ
【図１】
0003670159.tif 000002
【図２】
0003670159.tif 000003